(57)【要約】【課題】試料血清を低温状態としてコロイド粒子の粒度分布を測定しその粒度分布によって肝炎ウィルス感染の有無を検出するようにして、簡便かつ正確に検出することを可能とした肝炎ウィルス感染検出方法および装置を提供する。【解決手段】試料血清を温度範囲０〜１５℃の低温状態とする手順２０５と、前記試料血清にレーザー光を照射する手順２０６と、前記試料血清中でブラウン運動を行うコロイド粒子によって反射または散乱されたレーザー光のドップラー効果による周波数偏移を測定する手順２０７と、前記周波数偏移から前記コロイド粒子のブラウン運動の速度に関連した前記コロイド粒子の粒径を求めることにより、前記コロイド粒子の前記低温状態における粒度分布を求める手順２０８と、前記低温状態における前記粒度分布により、前記試料血清の肝炎ウィルス感染を検出する手順２０９とを有する。【選択図】図２
2007155376.tif 000002
【特許請求の範囲】
【請求項１】
試料血清を温度範囲０〜１５℃の低温状態とする手順（２０５）と、
前記試料血清にレーザー光を照射する手順（２０６）と、
前記試料血清中でブラウン運動を行うコロイド粒子によって反射または散乱されたレーザー光のドップラー効果による周波数偏移を測定する手順（２０７）と、
前記周波数偏移から前記コロイド粒子のブラウン運動の速度に関連した前記コロイド粒子の粒径を求めることにより、前記コロイド粒子の前記低温状態における粒度分布を求める手順（２０８）と、
前記低温状態における前記粒度分布により、前記試料血清の肝炎ウィルス感染を検出する手順（２０９）とを有する肝炎ウィルス感染検出方法。
【請求項２】
請求項１に記載した肝炎ウィルス感染検出方法であって、
前記肝炎ウィルス感染を検出する手順（２０９）は、前記肝炎ウィルスとしてＣ型肝炎ウィルスの感染を検出するものである肝炎ウィルス感染検出方法。
【請求項３】
請求項２に記載した肝炎ウィルス感染検出方法であって、
前記肝炎ウィルス感染を検出する手順（２０９）は、前記Ｃ型肝炎ウィルスの感染を、前記低温状態における前記粒度分布が２山分布となることにより検出するものである肝炎ウィルス感染検出方法。
【請求項４】
請求項１〜３のいずれか１項に記載した肝炎ウィルス感染検出方法であって、
前記試料血清を温度範囲３０〜４０℃の体温状態とする手順（２０１）と、
前記試料血清にレーザー光を照射する手順（２０２）と、
前記試料血清中でブラウン運動を行う前記コロイド粒子によって反射または散乱されたレーザー光のドップラー効果による周波数偏移を測定する手順（２０３）と、
前記周波数偏移から前記コロイド粒子のブラウン運動の速度に関連した前記コロイド粒子の粒径を求めることにより、前記コロイド粒子の前記体温状態における粒度分布を求める手順（２０４）とを有し、
前記肝炎ウィルス感染を検出する手順（２０９）は、前記体温状態における粒度分布と前記低温状態における粒度分布により、前記試料血清の肝炎ウィルス感染を検出するものである肝炎ウィルス感染検出方法。
【請求項５】
試料血清を温度範囲０〜１５℃の低温状態とする温度制御手段（１５１）と、
前記試料血清にレーザー光を照射する手段（１１）と、
前記試料血清中でブラウン運動を行うコロイド粒子によって反射または散乱されたレーザー光のドップラー効果による周波数偏移を測定する手段（２）と、
前記周波数偏移から前記コロイド粒子のブラウン運動の速度に関連した前記コロイド粒子の粒径を求めることにより、前記コロイド粒子の前記低温状態における粒度分布を求める手段（２）と、
前記低温状態における前記粒度分布により、前記試料血清の肝炎ウィルス感染を検出する手段（２）とを有する肝炎ウィルス感染検出装置。
【請求項６】
請求項５に記載した肝炎ウィルス感染検出装置であって、
前記肝炎ウィルス感染を検出する手段（２）は、前記低温状態における前記粒度分布が２山分布となることによりＣ型肝炎ウィルスの感染を検出するものである肝炎ウィルス感染検出装置。
【請求項７】
請求項５，６のいずれか１項に記載した肝炎ウィルス感染検出装置であって、
前記温度制御手段（１５１）は、試料血清を温度範囲３０〜４０℃の体温状態とすることも可能なものである肝炎ウィルス感染検出装置。
【発明の詳細な説明】
【技術分野】
【０００１】
この発明は、肝炎ウィルス感染の有無や肝炎ウィルス関連疾患（例えば、肝炎、肝硬変、肝ガン等）の進行状態を検出するための方法および装置に関し、詳しくは、試料血清を低温状態としてコロイド粒子の粒度分布を測定しその粒度分布によって肝炎ウィルス感染の有無や疾患の進行状態を判定するようにして、簡便かつ正確にこれらの検出を可能とした肝炎ウィルス感染検出方法および装置に関するものである。
【背景技術】
【０００２】
従来、ヒトに対する肝炎ウィルス（例えば、Ｃ型肝炎ウィルス等）の感染の有無を検出するには、ＨＣＶ抗体検査やＨＢｓ抗体検査等を行っていた。これらの検査は、血液中の抗体の存在を検査するものであり、ウィルスの潜伏期等もあるため１回の検査で確実にウィルス感染を検出することはできなかった。また、過去にウィルスに感染して自然治癒した場合やワクチンを接種したような場合にも、血液中に抗体が存在するため抗体検査では陽性となることが多い。
【０００３】
ウィルスの存在を確実に検出するには、ウィルス核酸検査を行うという方法もある。しかし、このウィルス核酸検査は、血液中に一定密度以上のウィルスの存在が必要であったり、検査方法が複雑でコストが高すぎたり、検査結果を得るまでに長時間が必要になったりするという問題点があった。
【０００４】
また、本発明者らによって提案された、下記の特許文献１のような技術が公知である。特許文献１には、ゲル状プレートの表面の凹みに血清試料を点着し、血清試料が点着されたプレートを冷却して、血清試料中に存在するＨＣＶおよびその免疫複合体をリング状に凝集させ、血清試料からの相分離と濃縮とを発生させるという手順を含むＣ型肝炎ウイルスの濃縮検査方法が記載されている。
【特許文献１】特開２００３−４３０４７号公報
【発明の開示】
【発明が解決しようとする課題】
【０００５】
従来の抗体検査による方法では、肝炎ウィルス感染を直接的に検出することはできず、複数回の検査を必要としたり、また、抗体陽性の場合にもウィルス核酸検査等のさらに精密な検査を必要とするという問題点があった。そして、ウィルス核酸検査にも、前述のような、血液中に一定密度以上のウィルスの存在が必要であったり、検査方法が複雑でコストが高すぎたり、検査結果を得るまでに長時間が必要になったりするという問題点があった。
【０００６】
また、特許文献１に記載されたＣ型肝炎ウイルスの濃縮検査方法は、従来の検査方法に比較すれば、簡単な装置と簡単な操作で、血清中のＣ型肝炎ウイルスの検査を確実に行うことができるものであるが、まだ、検査のための血清試料の処理手順が複雑であり、さらなる簡素化された検査方法が求められていた。また、検査の自動化という点でも、さらに血清試料の処理手順を簡素化した検査方法が必要であった。
【０００７】
そして、肝炎ウィルス感染の有無だけでなく、病状の進行度合いを判断するためには、血液中のＡＬＴ（ＧＰＴ）、ＡＳＴ（ＧＯＴ）等の酵素活性を測定することにより肝機能の障害度を判断したり、ヒアルロン酸測定で肝細胞の繊維化を判断したり、α−フェトプロテイン測定によって肝再生状態を判断したりする必要がある。その他、肝炎ウィルス由来の病態を考え、ピルビリン、血小板、アルブミンなどの測定を行い、胆汁排泄障害度もみながら周辺の状況を含めて総合的に判断する必要があった。すなわち、病状の進行度合いを判断するためには、数多くの様々な検査を行わなければならず、また、その検査結果の診断にも専門家の高度な熟練が必要であった。このように、検査・診断が困難で自動化も難しいという問題点があった。
【０００８】
そこで、本発明は、試料血清を低温状態としてコロイド粒子の粒度分布を測定しその粒度分布によって肝炎ウィルス感染の有無や疾患の進行状態を判定するようにして、簡便かつ正確にこれらの検出を可能とした肝炎ウィルス感染検出方法および装置を提供することを目的とする。
【課題を解決するための手段】
【０００９】
上記目的を達成するために、本発明の肝炎ウィルス感染検出方法は、試料血清を温度範囲０〜１５℃の低温状態とする手順と、前記試料血清にレーザー光を照射する手順と、前記試料血清中でブラウン運動を行うコロイド粒子によって反射または散乱されたレーザー光のドップラー効果による周波数偏移を測定する手順と、前記周波数偏移から前記コロイド粒子のブラウン運動の速度に関連した前記コロイド粒子の粒径を求めることにより、前記コロイド粒子の前記低温状態における粒度分布を求める手順と、前記低温状態における前記粒度分布により、前記試料血清の肝炎ウィルス感染を検出する手順とを有するものである。
【００１０】
また、上記の肝炎ウィルス感染検出方法において、前記肝炎ウィルス感染を検出する手順は、前記肝炎ウィルスとしてＣ型肝炎ウィルスの感染を検出するものであることが好ましい。
【００１１】
また、上記の肝炎ウィルス感染検出方法において、前記肝炎ウィルス感染を検出する手順は、前記Ｃ型肝炎ウィルスの感染を、前記低温状態における前記粒度分布が２山分布となることにより検出するものであることが好ましい。
【００１２】
また、上記の肝炎ウィルス感染検出方法において、前記試料血清を温度範囲３０〜４０℃の体温状態とする手順と、前記試料血清にレーザー光を照射する手順と、前記試料血清中でブラウン運動を行う前記コロイド粒子によって反射または散乱されたレーザー光のドップラー効果による周波数偏移を測定する手順と、前記周波数偏移から前記コロイド粒子のブラウン運動の速度に関連した前記コロイド粒子の粒径を求めることにより、前記コロイド粒子の前記体温状態における粒度分布を求める手順とを有し、前記肝炎ウィルス感染を検出する手順は、前記体温状態における粒度分布と前記低温状態における粒度分布により、前記試料血清の肝炎ウィルス感染を検出するものであることが好ましい。
【００１３】
また、本発明の肝炎ウィルス感染検出装置は、試料血清を温度範囲０〜１５℃の低温状態とする温度制御手段と、前記試料血清にレーザー光を照射する手段と、前記試料血清中でブラウン運動を行うコロイド粒子によって反射または散乱されたレーザー光のドップラー効果による周波数偏移を測定する手段と、前記周波数偏移から前記コロイド粒子のブラウン運動の速度に関連した前記コロイド粒子の粒径を求めることにより、前記コロイド粒子の前記低温状態における粒度分布を求める手段と、前記低温状態における前記粒度分布により、前記試料血清の肝炎ウィルス感染を検出する手段とを有するものである。
【００１４】
また、上記の肝炎ウィルス感染検出装置において、前記肝炎ウィルス感染を検出する手段は、前記低温状態における前記粒度分布が２山分布となることによりＣ型肝炎ウィルスの感染を検出するものであることが好ましい。
【００１５】
また、上記の肝炎ウィルス感染検出装置において、前記温度制御手段は、試料血清を温度範囲３０〜４０℃の体温状態とすることも可能なものであることが好ましい。
【発明の効果】
【００１６】
本発明は、以上のように構成されているので、以下のような効果を奏する。
【００１７】
低温状態における試料血清中のサーモコロイドの粒度分布を測定することにより、客観的な肝炎ウィルス感染の検出を容易に行うことができる。肝炎ウィルス感染検出のための粒度分布測定も自動化可能であり短時間で容易に行うことができる。また、検出に際して専門家の高度な熟練や個人によって異なる判断基準も介在せず、客観的な結果を得ることができる。
【００１８】
低温状態における粒度分布が２山分布となることを検出することにより、Ｃ型肝炎ウィルスの感染を確実かつ容易に検出することができる。
【００１９】
低温状態に加えて、体温状態における試料血清中のコロイド粒子の粒度分布を測定することにより、より正確で信頼性の大きな検出結果を得ることができる。
【発明を実施するための最良の形態】
【００２０】
本発明の実施の形態について図面を参照して説明する。図１は、本発明の肝炎ウィルス感染検出方法を実施する検出装置の全体構成を示す図である。粒度測定部１は、測定セル１６に収容された試料血清中のコロイド粒子の粒度分布を測定するものである。試料血清は測定セル１６ともども測定室１５に収納されている。測定室１５は断熱された測定空間であり、温度制御によって所望の一定温度に保つことが可能となっている。冷却加熱部１５１は、測定室１５を冷却あるいは加熱して室内を一定温度に保つためのものであり、例えば、ペルチェ素子や、冷却器と加熱ヒータとを組み合わせたものなどが使用できる。
【００２１】
粒度測定部１は、次のような測定原理によって、試料血清中のコロイド粒子の粒度分布を測定するものである。試料血清中のコロイド粒子は、ランダムな熱運動を行う液体分子の衝突を受けて、それ自体もランダムなブラウン運動を行っている。液体中の粒子のブラウン運動の速度は、液体の温度や粘性にも影響されるが、粒子の大きさ（粒径）にも影響される。ブラウン運動の統計的な性質は既知であり、コロイド粒子の粒径が小さくなるほど、ブラウン運動の統計的な速度（平均値、中間値など）が大きくなる。
【００２２】
すなわち、ブラウン運動の統計的速度は、粒径、液体の温度、液体の粘性等を変数とする既知の関数として表される。したがって、粒径以外の変数の値が分かっていれば、ブラウン運動の速度を測定することにより粒子の粒径を求めることができる。ここでは、コロイド粒子にレーザー光を照射して、コロイド粒子による反射光または散乱光のドップラー効果による周波数偏移を検出することにより、コロイド粒子の速度を測定している。
【００２３】
なお、以下の記載におけるコロイド粒子による反射光とは、反射光に加えて散乱光も含むものとする。粒子の速度と反射光の周波数偏移との関係も既知である。要するに、粒度測定部１は、コロイド粒子にレーザー光を照射して、反射光の周波数偏移からコロイド粒子の速度分布を求め、それによりコロイド粒子の粒度分布を求めるものである。
【００２４】
レーザー光はレーザーダイオード等からなるレーザー光源１１から出力され、光ファイバ１３を通って測定室１５内の測定セル１６に導かれる。測定セル１６内の試料血清に照射されたレーザー光は、血清中のコロイド粒子によって反射されて、その反射光が再び光ファイバ１３に戻り、照射光とは逆方向に導かれる。また、測定セル１６の外面や内面の境界によってもレーザー光の一部が反射され、光ファイバ１３中を照射光と逆方向に導かれる。照射光とは逆向きのこれらの反射光は、ビームスプリッタ１４によって光検出器１２の方向に分岐される。
【００２５】
光検出器１２は、コロイド粒子による反射光と測定セル１６境界面による反射光とを重ね合わせて検出し、検出信号を制御部１７に送る。ここで、測定セル１６境界面による反射光は、周波数偏移をしておらず、基準周波数の参照光として使用される。したがって、光検出器１２によって検出した重ね合わせ信号により、ドップラー効果による周波数偏移の成分（２つの反射光の差の周波数成分）を得ることができる。
【００２６】
制御部１７は、コンピュータ２に検出信号を送ったり、コンピュータ２からの制御信号を受信してレーザー光源１１や冷却加熱部１５１の制御を行ったりする部分であり、インターフェース回路と制御回路とを備えている。コンピュータ２は、検出信号から必要な演算を行って血清中のコロイド粒子の粒度分布を求め表示や出力を行う。また、コンピュータ２は粒度測定部１の制御も行う。
【００２７】
コンピュータ２には、出力装置として表示部３やプリンタ５が接続されており、入力装置として入力部４が接続されている。表示部３としてはＣＲＴや液晶表示装置等が使用でき、入力部４としてはキーボードやポインティングディバイス等が使用できる。操作者は入力部４からコンピュータ２に各種の指令やデータの入力を行い、測定結果や検出結果等を表示部３やプリンタ５から出力させる。また、測定結果や検出結果等は、コンピュータ２に内蔵された固定ディスク装置等の記憶装置に記録される。これらの測定結果や検出結果等は、フレキシブルディスクやフラッシュメモリ等の交換可能記録媒体に記録することも可能である。
【００２８】
本発明では、試料血清中のコロイド粒子の粒度分布を測定し、特に低温状態とした試料血清中のコロイド粒子の粒度分布の特徴的変化により、肝炎ウィルス感染を検出するものである。血清中には、クリオグロブリン等の免疫複合体が含まれている。このクリオグロブリンは、主として蛋白質からなる物質であり、体温状態では血清中に分散しているが、低温状態に冷却することにより凝集してコロイド粒子が大径化する。このように温度によってコロイド状態が変化するものをサーモコロイドと呼ぶ。
【００２９】
Ｃ型肝炎ウィルスに感染した患者の血清のサーモコロイドの粒度分布を測定すると、非感染者の血清では見られない特徴的な変化が現れることが判明した。感染者の血清では、特に低温状態とした場合のサーモコロイドの粒度分布が特徴的な２山分布を示すのである。これは、Ｃ型肝炎ウィルスの存在により、クリオグロブリン等のコロイド粒子表面のゼータ電位が特異的に変化して、粒度分布が特徴的な分布を示すようになるものと考えられる。また、サーモコロイドの粒度分布によって感染者の病態の進行状態も容易に判別することができる。
【００３０】
図２は、肝炎ウィルス感染検出方法の各手順を示す図である。まず、手順２０１で、測定室１５内を温度範囲３０〜４０℃の体温状態に保ち、体温状態の試料血清を入れた測定セル１６をセットする。ここで、体温状態とは、生体の体温程度の温度範囲を表しており、温度範囲３０〜４０℃の状態を指す。３３〜３８℃の温度範囲であればなお好ましく、３７℃近傍が最適である。
【００３１】
次に、手順２０２で、測定セル１６内の試料血清にレーザー光を照射する。手順２０３では、光検出器１２によって検出された、コロイド粒子による反射光と測定セル１６境界面による反射光とを重ね合わせた信号を、コンピュータ２により処理してドップラー効果による周波数偏移を検出する。さらに、手順２０４で、コンピュータ２内部の演算プログラムにより、試料血清中のコロイド粒子の粒度分布が演算される。求められた粒度分布は、コンピュータ２内の固定ディスク装置等の記憶装置に記録される。なお、手順２０２〜２０４の粒度分布の測定はコンピュータ２によって自動的に実行される。
【００３２】
次に、手順２０５で、測定室１５内を温度範囲０〜１５℃の低温状態に保ち、低温状態の試料血清を入れた測定セル１６をセットする。ここで、低温状態とは、試料血清が凍結しない程度の低温の温度範囲を表しており、温度範囲０〜１５℃の状態を指す。４〜１０℃の温度範囲であればより好ましい。
【００３３】
なお、試料血清の体温状態と低温状態におけるサーモコロイドの粒度分布を測定するには、試料血清を２つに分けて、一方を体温状態とし、他方を低温状態として測定することもできるが、試料血清を分けずに体温状態として測定した後に低温状態として測定することもできる。また、低温状態においてサーモコロイドを十分に凝集させるためには、試料血清を６時間以上低温状態に保持することが好ましい。８〜１４時間程度低温状態に保持すればより好ましい。
【００３４】
次に、手順２０６で、測定セル１６内の試料血清にレーザー光を照射する。手順２０７では、光検出器１２によって検出された、コロイド粒子による反射光と測定セル１６境界面による反射光とを重ね合わせた信号を、コンピュータ２により処理してドップラー効果による周波数偏移を検出する。さらに、手順２０８で、コンピュータ２内部の演算プログラムにより、試料血清中のコロイド粒子の粒度分布が演算される。求められた粒度分布は、コンピュータ２内の固定ディスク装置等の記憶装置に記録される。手順２０６〜２０８の粒度分布の測定もコンピュータ２によって自動的に実行される。
【００３５】
次に、手順２０９で、測定した体温状態の粒度分布と低温状態の粒度分布が、モデルパターンと比較され、肝炎ウィルス感染の有無が判別される。コンピュータ２内部の記憶装置には、予め典型的な粒度分布パターン（感染パターン、非感染パターン等）が記憶されており、測定した試料血清の粒度分布とのパターン類似度やピーク位置等の特徴値によって感染の有無の判別を行う。そして、手順２１０で判別結果や測定結果の出力を行う。
【００３６】
以上に示した肝炎ウィルス感染検出方法により、客観的な肝炎ウィルス感染の検出を容易に行うことができる。肝炎ウィルス感染検出のための粒度分布測定も自動化されており短時間で容易に行うことができる。また、検出に際して専門家の高度な熟練や個人によって異なる判断基準も介在せず、客観的な結果を得ることができる。
【００３７】
なお、ここでは、体温状態の試料血清の測定を先に行っているが、試料血清を２つに分けて行う場合には、低温状態の試料血清の測定を先に行ってもよく、測定の順序は問わない。試料血清を分けずに測定する場合は、体温状態の測定の後に低温状態の測定を行うことが効率的で好ましい。サーモコロイドの低温での凝集が非可逆的である場合は、体温状態の測定の後に低温状態の測定を行うべきである。サーモコロイドの低温での凝集が可逆的である場合は、低温状態の測定を先に行うことも可能である。
【００３８】
次に、Ｃ型肝炎ウィルスに感染していない血清と感染した血清の、体温状態および低温状態におけるサーモコロイド粒子の粒度分布の測定結果を示す。血清は被験者から採取した血液から血球を分離除去したものである。図３〜図６において、棒グラフは、粒度分布の頻度値［％］を表し、左側の縦軸目盛を尺度とするものである。曲線グラフは、粒度分布の累積値［％］を表し、右側の縦軸目盛を尺度とするものである。横軸はコロイド粒子の粒径［μｍ］を示し、対数目盛で表示されている。
【００３９】
図３は、健常者（非感染者）の試料血清の体温状態（３７℃）におけるコロイド粒子の粒度分布の測定例を示す図である。コロイド粒子の粒度分布は、粒径０．０１μｍ付近に頻度値のピークを有するものとなっている。図４は、同じ試料血清の低温状態（４℃）における粒度分布の測定結果を示す図である。頻度値のピークが少し大径側に移動しているが、体温状態に比較して目立った変化は見られない。
【００４０】
図５は、Ｃ型肝炎ウィルス感染者の試料血清の体温状態（３７℃）におけるコロイド粒子の粒度分布の測定例を示す図である。コロイド粒子の粒度分布は、粒径０．２μｍ付近に頻度値のピークを有するものとなっている。このように、感染者の試料血清では、非感染者の場合よりも頻度値のピークとなる粒径が大きくなる。
【００４１】
図６は、図５と同じ試料血清の低温状態（４℃）における粒度分布の測定結果を示す図である。体温状態（３７℃）よりもさらに特異な特徴点が現れている。粒度分布の頻度値［％］が２つのピークを持つ分布（２山分布）となるのである。これは、Ｃ型肝炎ウィルスの存在により、クリオグロブリン等のコロイド粒子表面のゼータ電位が特異的に変化して、粒度分布がこのような特徴的な分布を示すようになるものと考えられる。
【００４２】
このような２山分布により、Ｃ型肝炎ウィルス感染の有無は容易かつ確実に検出することができる。また、コロイド粒子の平均粒径は、感染者の病態が進行して癌化するほど大きくなることが分かっている。したがって、コロイド粒子の平均粒径により感染者の病態の進行状態も容易に判別することができる。これにより、病態の進行状態を的確に診断することが可能となり、病態の進行状態に応じた適切な薬剤の投与等の治療を行うことが可能となる。
【００４３】
なお、ここではＣ型肝炎ウィルスの感染に関する測定結果を示したが、同様にＢ型肝炎ウィルスについてもサーモコロイドの粒度分布により感染の有無を検出することができる。
【００４４】
以上に説明したように、体温状態および低温状態における試料血清中のサーモコロイドの粒度分布を測定することにより、客観的な肝炎ウィルス感染の検出を容易に行うことができる。肝炎ウィルス感染検出のための粒度分布測定も自動化されており短時間で容易に行うことができる。また、検出に際して専門家の高度な熟練や個人によって異なる判断基準も介在せず、客観的な結果を得ることができる。
【産業上の利用可能性】
【００４５】
本発明により、肝炎ウィルス感染の検出を容易かつ客観的に行うことができ、検出のための測定も自動化して短時間に行うことができる。そして、肝炎ウィルス感染の検出を容易かつ客観的に行う装置を提供できる。
【図面の簡単な説明】
【００４６】
【図１】本発明の肝炎ウィルス感染検出方法を実施する検出装置の全体構成を示す図である。
【図２】肝炎ウィルス感染検出方法の各手順を示す図である。
【図３】健常者の試料血清の体温状態における粒度分布の測定例を示す図である。
【図４】健常者の試料血清の低温状態における粒度分布の測定例を示す図である。
【図５】感染者の試料血清の体温状態における粒度分布の測定例を示す図である。
【図６】感染者の試料血清の低温状態における粒度分布の測定例を示す図である。
【符号の説明】
【００４７】
１  粒度測定部
２  コンピュータ
３  表示部
４  入力部
５  プリンタ
１１  レーザー光源
１２  光検出器
１３  光ファイバ
１４  ビームスプリッタ
１５  測定室
１６  測定セル
１７  制御部
１５１  冷却加熱部
【図１】
2007155376.tif 000003
【図２】
2007155376.tif 000004
【図３】
2007155376.tif 000005
【図４】
2007155376.tif 000006
【図５】
2007155376.tif 000007
【図６】
2007155376.tif 000008